(57)【特許請求の範囲】
【請求項１】
多数のろ材を支持する複数の支柱を鉛直に配設して成る一単位のろ材ブロックを嫌気槽内に複数配置してろ材ブロック群を形成すると共に、前記ろ材ブロック群の略中央部に被処理水の流入管を鉛直に配設した嫌気槽処理装置において、
前記流入管は、
前記ろ材ブロック群の下部位置で上下２分割可能な２本の管と、
前記２本の管のうちの一方の管の端部に形成され、他方の管が差し込まれるガイド管と、
前記ガイド管内に前記他方の管が差し込まれた際に、上側に位置する管の重みで前記２本の管の間に圧縮挟持されるシール部材と、
から成ることを特徴とする嫌気槽処理装置。
【発明の詳細な説明】
【０００１】
【発明の属する技術分野】
本発明は嫌気槽処理装置に係り、特に、ろ材ブロック群の略中央部に被処理水の流入管を備えた嫌気槽処理装置に関する。
【０００２】
【従来の技術】
固定生物膜法を用いた嫌気槽処理装置は、皿状に形成された多数のろ材（以下、「皿状ろ材」という）を支持する複数の支柱を鉛直に配設して成る一単位のろ材ブロックを、嫌気槽内に複数配置してろ材ブロック群を形成すると共に、ろ材ブロック群の略中央部に被処理水の流入管が鉛直に配設されている。このろ材に嫌気性菌が支持される。そして、流入管から嫌気槽内に流入した被処理水は、嫌気槽内を上向流で流れ、ろ材に支持された嫌気性菌により生物処理される。
【０００３】
このろ材ブロック群を構築する際、或いはろ材ブロックを新しく交換する際に、ろ材ブロック群の略中央部に位置する流入管がろ材ブロックの搬入・搬出の邪魔にならないように、流入管を分割可能な構造にする必要がある。
【０００４】
従来の流入管は、図５に示すように、ろ材ブロックの高さに略相当する長さの短管１同士の端部同士を一対のゴムパッキン２、２を介して一対の継手治具３、３で挟み付け、この継手治具３同士をボルト（図示せず）で固定することにより分割可能な構造にしていた。また、図６に示すように、端部に雄ねじ４が形成された短管１同士を、雌ねじ５が刻設されたリング状の継手治具６で螺合することにより分割可能な構造にしていた。
【０００５】
【発明が解決しようとする課題】
しかしながら、分割可能な構造を有する従来の流入管は、短管１同士を連結するために多くの継手治具３、６が必要になるという欠点がある。また、短管１同士を接合して流入管を組み立てたり、流入管を分割したりする作業がやっかいであり時間もかかると共に、特別な継手治具３、６を必要とするという欠点があった。
【０００６】
本発明はこのような事情に鑑みて成されたもので、流入管を簡単に分割したり組み立てたりできるので作業が簡単で時間もかからずに行うことができ、特別な継手治具も必要としない嫌気槽処理装置を提供することを目的とする。
【０００７】
【課題を解決する為の手段】
本発明は、前記目的を達成するために、多数のろ材を支持する複数の支柱を鉛直に配設して成る一単位のろ材ブロックを嫌気槽内に複数配置してろ材ブロック群を形成すると共に、前記ろ材ブロック群の略中央部に被処理水の流入管を鉛直に配設した嫌気槽処理装置において、前記流入管は、前記ろ材ブロック群の下部位置で上下２分割可能な２本の管と、前記２本の管のうちの一方の管の端部に形成され、他方の管が差し込まれるガイド管と、前記ガイド管内に前記他方の管が差し込まれた際に、上側に位置する管の重みで前記２本の管の間に圧縮挟持されるシール部材と、から成ることを特徴とする。
【０００８】
本発明によれば、分割可能な２本の管のうちの一方の管に設けられたガイド管に、シール部材を介して他方の管を差し込むだけで流入管が組み立てられる。この場合、２本の管のうちの上側に位置する管の重みでシール部材が２本管の間に挟み込まれて２本の管の接合部がシールされるので、流入管を流れる被処理水が接合部から漏れることもない。また、流入管を分割する場合には、他方の管をガイド管から引き抜くだけでよい。
【０００９】
【発明の実施の形態】
以下添付図面に従って、本発明に係る嫌気槽処理装置の好ましい実施の形態について詳説する。
【００１０】
図１に示すように、嫌気槽１０の中央位置には、流入管１２が鉛直に支持されている。流入管１２の上端部は、図示しない流入水路に連通されており、流入水路から被処理水（不図示）が供給される。流入管１２の下端部は、嫌気槽１０の下部のホッパ部１０Ａで開口され、この開口の下方には分散板１４が設けられる。したがって、流入管１２の下端部から下方に噴きだされた被処理水は、分散板１４によって方向転換され、上向流を形成する。上向流で上昇する被処理水は、ろ材ブロック群１３を構成する複数のろ材ブロック１６、１６、…の内部を通過し、嫌気槽１０の上部に設けられた樋部１８に流出する。樋部１８は、嫌気槽１０の内壁に形成されており、不図示の送液管を介して図示しない好気槽に連通される。これにより、嫌気槽１０内の被処理水の一部が好気槽に戻される。なお、図１の符号２０は、ウェアプレートであり、三角形状の突出部が連続して形成されている。被処理水は、このウェアプレート２０の突出部の隙間から樋部１８に流れる。また、ホッパ部１０Ａに沈殿した汚泥は、ホッパ部１０Ａの下端に連通した引き抜き管（不図示）から引き抜かれる。
【００１１】
ろ材ブロック１６は、略立方体状に形成されており、ろ材受け台２２の上に複数段に積まれている。
【００１２】
図２は、ろ材ブロック１６の構造を示す斜視図である。
【００１３】
同図に示すように、ろ材ブロック１６は、ステンレス製のＬ字鋼によって形成された外枠フレーム２４、下フレーム２６、２６、…、及び上フレーム２８、２８、…を備えている。外枠フレーム２４は、略立方体状に形成され、外枠フレーム２４の下面に複数本の下フレーム２６、２６、…が水平に掛けられている。上フレーム２８、２８、…は、下フレーム２６の上方に、且つ下フレーム２６と平行に配設される。
【００１４】
下フレーム２６と上フレーム２８の間には、多数本の支柱３０、３０、…が設けられている。各支柱３０は、プラスチックによって円筒状に形成されており、鉛直に配設されている。各支柱３０には、複数個の皿状ろ材３２、３２、…が水平に取り付けられている。
【００１５】
皿状ろ材３２は、プラスチック等により皿状に形成され、被処理水中の嫌気性微生物は、この皿状ろ材３２に支持される。
【００１６】
また、皿状ろ材３２は、図２に示したように、隣り合う支柱３０に支持された皿上ろ材３２と高さ方向にずらして配置されるとともに、上面（或いは下面）から見た際に隙間ができないように重ねて配置される。これにより、被処理水が直線的に上昇することが防止され、被処理水が皿状ろ材３２に効果的に接触して生物処理される。
【００１７】
外枠フレーム２４の側面には、嫌気槽１０の内部を４つの区画に仕切るための整流板３４が取り付けられている。これにより、被処理水が嫌気槽１０内の内部を偏って流れることが防止される。
【００１８】
次に流入管１２について説明する。
【００１９】
図３に示すように、流入管１２は、ろ材ブロック群１３の下部位置において、上部管３６と下部管３８との２本の管に２分割可能に構成される。上部管３６の上部には、該上部管３６を、一番上に積まれたろ材ブロック１６の外枠フレーム２４に支持する第１の支持部材４０が設けられる。そして、複数本の第１のボルト４１、４１…により、第１の支持部材４０と外枠フレーム２４とを締結する。一方、下部管３８の下端部には、該下部管３８を、ろ材受け台２２に支持する第２の支持部材４２が設けられる。そして、複数本の第２のボルト４３、４３…により、第２の支持部材４２とろ材受け台２２とを締結する。また、上部管３６と下部管３８のボルト４１、４３による締結において、第１のボルト４１の外枠フレーム２４に対するねじ込み量、第２のボルト４３のろ材受け台２２に対するねじ込み量を調整することにより、上部管３６と下部管３８の位置を上下方向に調節可能になっている。
【００２０】
また、図４に示すように、下部管３８の上端部には、上部管３６が差し込まれるための筒状のガイド管４４が設けられ、下部管３８に溶接３９固定される。このガイド管４４の先端部は上部管３６が差し込まれ易くするためにラッパ管状に拡径されている。更に、ガイド管４４内であり下部管３８の端部には、グランドパッキン４５が設けられる。そして、上部管３６と下部管３８とを接合して流入管１２を形成するには、上部管３６を下部管３８のガイド管４４に差し込む。この場合、、第１のボルト４１と第２のボルト４３のねじ込み量を調整して、上部管３６の重みを下部管３８で支えるようにする。これにより、上部管３６の重みでグランドパッキン４５が上部管３６と下部管３８との間で圧縮挟持されるので、上部管３６と下部管３８との接合部が確実にシールされる。また、流入管を分割するには、上部管３６をガイド管４４から引き抜くだけでよい。この場合、上部管３６を上方に移動可能なように、或いは下部管３８を下方に移動可能なように、第１のボルト４１と第２のボルト４３のねじ込み量を調整するとよい。
【００２１】
図５は、グランドパッキン４５の代わりに、Ｏリング４６を設けたもので、この場合に、上部管３６の下端部に、図５に示すように、テーパ３６Ａを形成すると、シール性を一層良くすることができる。
【００２２】
また、図４及び図５に示すように、ガイド管４４の周面に長孔４８を形成しておくと、ガイド管４４をラッパ管状にしても、ラッパ管部分に流入した汚泥等の固形物は長孔４８から排出されるようにできる。
【００２３】
このように、本発明の嫌気槽処理装置では、分割可能な上部管３６と下部管３８のうちの下部管３８にガイド管を設け、グランドパッキン４５、Ｏリング４６等のシール部材を介して上部管を差し込むだけで流入管１２が形成されるようにした。これにより、ろ材ブロック１６を嫌気槽１０に搬入・搬出する際には、上部管３６をガイド管４４から引き抜くことで流入管１２を簡単に分割でき、上部管３６を搬入・搬出の邪魔にならないように移動すれば良い。また、搬入・搬出が終了したら、上部管３６をガイド管４４に差し込むだけで流入管１２を組み立てることができる。また、ガイド管４４を設けることで、特別な継手治具が不要となり、接合や分割の作業を簡略化できる。従って、作業効率の向上を図ることができる。また、上部管３６をろ材ブロック１６に固定することで、従来、躯体にアンカー固定していたサポートが不要になる。
【００２４】
尚、上記説明では、下部管３８にガイド管４４とグランドパッキン４５又はＯリング４６等のシール部材を設ける例で説明したが、上部管３６の下端部にガイド管４４とシール部材を設けるようにしてもよい。
【００２５】
【発明の効果】
以上説明したように本発明に係る嫌気槽処理装置によれば、簡単に流入管を分割したり組み立てたりできるので、作業が簡単で時間もかからずに行うことができ、特別な継手治具も必要としない。
【図面の簡単な説明】
【図１】本発明に係る嫌気槽処理装置の嫌気槽の構造を示す斜視図
【図２】ろ材ブロックを示す斜視図
【図３】流入管の組み付け構造を示す側面図
【図４】本発明の流入管の組み立て方法を説明するものでシール部材としてグランドパッキンを使用した場合の断面図
【図５】本発明の流入管の組み立て方法を説明するものでシール部材としてＯリングを使用した場合の断面図
【図６】従来の流入管の組み立て方法を説明する斜視図
【図７】従来の流入管の別の組み立て方法を説明する斜視図
【符号の説明】
１０…嫌気槽、１２…流入管、１３…ろ材ブロック群、１６…ろ材ブロック、２２…ろ材受け台、２４…ろ材ブロックの外枠フレーム、３６…上部管、３６Ａ…テーパ、３８…下部管、４０…第１の支持部材、４１…第１のボルト、４２…第２の支持部材、４３…第２のボルト、４４…ガイド管、４５…グランドパッキン、４６…Ｏリング、４８…長孔
【図１】
0004337022.tif 000002
【図２】
0004337022.tif 000003
【図３】
0004337022.tif 000004
【図４】
0004337022.tif 000005
【図５】
0004337022.tif 000006
【図６】
0004337022.tif 000007
【図７】
0004337022.tif 000008